【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
他のコンピュータから情報を受信する受信手段と、該受信手段が受信した情報が所定の条件を満たしていることを確認する確認手段と、該確認手段が確認した場合に、１又は複数のサービスを前記コンピュータに提供する手段とを備えることを特徴とするコンピュータ。
【請求項２】
前記受信手段が受信する情報は、前記他のコンピュータが有するソフトウェア及びハードウェアに関する情報である請求項１記載のコンピュータ。
【請求項３】
情報が格納された記録媒体から読み込んだ前記情報を使用する端末装置に、ネットワークを通じて１又は複数のサービスを提供する情報システムを構成するホストコンピュータにおいて、
前記端末装置が有するソフトウェア及びハードウェアに関する端末装置情報を評価する為に前記記録媒体に格納された評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とするホストコンピュータ。
【請求項４】
情報が格納された記録媒体から読み込んだ前記情報を使用する端末装置に、ネットワークを通じて１又は複数のサービスを提供する情報システムを構成するホストコンピュータにおいて、
前記端末装置が有するソフトウェア及びハードウェアに関する端末装置情報を評価する為の複数種類の評価式を前記端末装置へ送信する評価式送信手段と、該評価式送信手段が送信した評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とするホストコンピュータ。
【請求項５】
情報が格納された記録媒体から読み込んだ前記情報を使用する端末装置に、ネットワークを通じてホストコンピュータが１又は複数のサービスを提供する情報システムを構成する端末装置において、
自身が有するソフトウェア及びハードウェアに関する端末装置情報を収集する収集手段と、該収集手段が収集した端末装置情報を評価式により評価する評価手段と、該評価手段の評価結果が所定の条件を満たしているか否かを判断する判断手段と、該判断手段が前記評価結果は所定の条件を満たしていると判断したときに、前記評価結果を前記ホストコンピュータへ送信する評価結果送信手段とを備えることを特徴とする端末装置。
【請求項６】
前記評価手段は、前記記録媒体に格納された評価式により評価する請求項５記載の端末装置。
【請求項７】
前記端末装置情報を評価する為の複数種類の評価式を前記ホストコンピュータから受信する評価式受信手段と、該評価式受信手段が受信した複数種類の評価式から１種類の評価式を選択する評価式選択手段とを備え、前記評価手段は、該評価式選択手段が選択した評価式により評価する請求項６記載の端末装置。
【請求項８】
情報が格納された記録媒体から読み込んだ前記情報を使用するコンピュータに、ネットワークを通じてホストコンピュータが１又は複数のサービスを提供する情報システムを構成する記録媒体において、
コンピュータに、該コンピュータが有するソフトウェア及びハードウェアに関するコンピュータ情報を収集させる収集ステップと、該収集ステップが収集したコンピュータ情報を評価式により評価させる第１の評価ステップと、該第１の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したコンピュータ読み取り可能な記録媒体。
【請求項９】
情報が格納された記録媒体から読み込んだ前記情報を使用するコンピュータに、ネットワークを通じてホストコンピュータが１又は複数のサービスを提供する情報システムを構成する記録媒体において、
コンピュータに、該コンピュータが有するソフトウェア及びハードウェアに関するコンピュータ情報を収集させる収集ステップと、該収集ステップが収集したコンピュータ情報を評価させる為の複数種類の評価式を前記ホストコンピュータから受信させる評価式受信ステップと、該評価式受信ステップが受信した複数種類の評価式から１種類の評価式を選択させる評価式選択ステップと、前記収集ステップが収集したコンピュータ情報を、前記評価式選択ステップが選択した評価式により評価させる第２の評価ステップと、第２の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したコンピュータ読み取り可能な記録媒体。
【請求項１０】
情報が格納された記録媒体から読み込んだ前記情報を使用する端末装置に、ネットワークを通じて１又は複数のサービスを提供する情報システムを構成するホストコンピュータが使用するプログラムを記録してある記録媒体において、
コンピュータに、前記端末装置が有するソフトウェア及びハードウェアに関する端末装置情報を評価する為に記録媒体に格納された評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したコンピュータ読み取り可能な記録媒体。
【請求項１１】
情報が格納された記録媒体から読み込んだ前記情報を使用する端末装置に、ネットワークを通じて１又は複数のサービスを提供する情報システムを構成するホストコンピュータが使用するプログラムを記録してある記録媒体において、
コンピュータに、前記端末装置が有するソフトウェア及びハードウェアに関する端末装置情報を評価する為の複数種類の評価式を前記端末装置へ送信させる評価式送信ステップと、該評価式送信ステップが送信した評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したコンピュータ読み取り可能な記録媒体。
【請求項１２】
端末装置にネットワークを通じて１又は複数のサービスを提供する情報システムを構成するホストコンピュータが使用するプログラムを記録してある記録媒体において、
コンピュータに、前記端末装置が有するソフトウェア及びハードウェアに関する端末装置情報を前記端末装置から受信させる受信ステップと、該受信ステップが受信した端末装置情報が所定の条件を満たしていることを確認させる確認ステップと、該確認ステップが確認した場合に、特定のサービスを前記端末装置に提供させるステップとを実行させる為のプログラムを記録したコンピュータ読み取り可能な記録媒体。
【手続補正２】
【補正対象書類名】明細書
【補正対象項目名】０００４
【補正方法】変更
【補正の内容】
【０００４】
【課題を解決するための手段】
本発明に係るコンピュータは、他のコンピュータから情報を受信する受信手段と、該受信手段が受信した情報が所定の条件を満たしていることを確認する確認手段と、該確認手段が確認した場合に、１又は複数のサービスを前記コンピュータに提供する手段とを備えることを特徴とする。
【手続補正３】
【補正対象書類名】明細書
【補正対象項目名】０００５
【補正方法】変更
【補正の内容】
【０００５】
このコンピュータでは、受信手段が、他のコンピュータから情報を受信し、確認手段が、受信手段が受信した情報が所定の条件を満たしていることを確認する。そして、確認手段が確認した場合に、提供する手段が、１又は複数のサービスを他のコンピュータに提供する。
本発明に係るコンピュータは、前記受信手段が受信する情報は、前記他のコンピュータが有するソフトウェア及びハードウェアに関する情報であることを特徴とする。
【手続補正４】
【補正対象書類名】明細書
【補正対象項目名】０００６
【補正方法】変更
【補正の内容】
【０００６】
本発明に係るホストコンピュータは、情報が格納された記録媒体から読み込んだ前記情報を使用する端末装置に、ネットワークを通じて１又は複数のサービスを提供する情報システムを構成するホストコンピュータにおいて、前記端末装置が有するソフトウェア及びハードウェアに関する端末装置情報を評価する為に前記記録媒体に格納された評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とする。
【手続補正５】
【補正対象書類名】明細書
【補正対象項目名】０００８
【補正方法】変更
【補正の内容】
【０００８】
本発明に係るホストコンピュータは、情報が格納された記録媒体から読み込んだ前記情報を使用する端末装置に、ネットワークを通じて１又は複数のサービスを提供する情報システムを構成するホストコンピュータにおいて、前記端末装置が有するソフトウェア及びハードウェアに関する端末装置情報を評価する為の複数種類の評価式を前記端末装置へ送信する評価式送信手段と、該評価式送信手段が送信した評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とする。
【手続補正６】
【補正対象書類名】明細書
【補正対象項目名】００１０
【補正方法】変更
【補正の内容】
【００１０】
本発明に係る端末装置は、情報が格納された記録媒体から読み込んだ前記情報を使用する端末装置に、ネットワークを通じてホストコンピュータが１又は複数のサービスを提供する情報システムを構成する端末装置において、自身が有するソフトウェア及びハードウェアに関する端末装置情報を収集する収集手段と、該収集手段が収集した端末装置情報を評価式により評価する評価手段と、該評価手段の評価結果が所定の条件を満たしているか否かを判断する判断手段と、該判断手段が前記評価結果は所定の条件を満たしていると判断したときに、前記評価結果を前記ホストコンピュータへ送信する評価結果送信手段とを備えることを特徴とする。
【手続補正７】
【補正対象書類名】明細書
【補正対象項目名】００１２
【補正方法】変更
【補正の内容】
【００１２】
本発明に係る端末装置は、評価手段は、前記記録媒体に格納された評価式により評価することを特徴とする。
【手続補正８】
【補正対象書類名】明細書
【補正対象項目名】００１４
【補正方法】変更
【補正の内容】
【００１４】
本発明に係る端末装置は、前記端末装置情報を評価する為の複数種類の評価式を前記ホストコンピュータから受信する評価式受信手段と、該評価式受信手段が受信した複数種類の評価式から１種類の評価式を選択する評価式選択手段とを備え、前記評価手段は、該評価式選択手段が選択した評価式により評価することを特徴とする。
【手続補正９】
【補正対象書類名】明細書
【補正対象項目名】００１６
【補正方法】変更
【補正の内容】
【００１６】
本発明に係る記録媒体は、情報が格納された記録媒体から読み込んだ前記情報を使用するコンピュータに、ネットワークを通じてホストコンピュータが１又は複数のサービスを提供する情報システムを構成する記録媒体において、コンピュータに、該コンピュータが有するソフトウェア及びハードウェアに関するコンピュータ情報を収集させる収集ステップと、該収集ステップが収集したコンピュータ情報を評価式により評価させる第１の評価ステップと、該第１の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したことを特徴とする。
【手続補正１０】
【補正対象書類名】明細書
【補正対象項目名】００１８
【補正方法】変更
【補正の内容】
【００１８】
本発明に係る記録媒体は、情報が格納された記録媒体から読み込んだ前記情報を使用するコンピュータに、ネットワークを通じてホストコンピュータが１又は複数のサービスを提供する情報システムを構成する記録媒体において、コンピュータに、該コンピュータが有するソフトウェア及びハードウェアに関するコンピュータ情報を収集させる収集ステップと、該収集ステップが収集したコンピュータ情報を評価させる為の複数種類の評価式を前記ホストコンピュータから受信させる評価式受信ステップと、該評価式受信ステップが受信した複数種類の評価式から１種類の評価式を選択させる評価式選択ステップと、前記収集ステップが収集したコンピュータ情報を、前記評価式選択ステップが選択した評価式により評価させる第２の評価ステップと、第２の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したことを特徴とする。
【手続補正１１】
【補正対象書類名】明細書
【補正対象項目名】００２０
【補正方法】変更
【補正の内容】
【００２０】
本発明に係る記録媒体は、情報が格納された記録媒体から読み込んだ前記情報を使用する端末装置に、ネットワークを通じて１又は複数のサービスを提供する情報システムを構成するホストコンピュータが使用するプログラムを記録してある記録媒体において、コンピュータに、前記端末装置が有するソフトウェア及びハードウェアに関する端末装置情報を評価する為に記録媒体に格納された評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したことを特徴とする。
【手続補正１２】
【補正対象書類名】明細書
【補正対象項目名】００２２
【補正方法】変更
【補正の内容】
【００２２】
本発明に係る記録媒体は、情報が格納された記録媒体から読み込んだ前記情報を使用する端末装置に、ネットワークを通じて１又は複数のサービスを提供する情報システムを構成するホストコンピュータが使用するプログラムを記録してある記録媒体において、コンピュータに、前記端末装置が有するソフトウェア及びハードウェアに関する端末装置情報を評価する為の複数種類の評価式を前記端末装置へ送信させる評価式送信ステップと、該評価式送信ステップが送信した評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したことを特徴とする。
【手続補正１３】
【補正対象書類名】明細書
【補正対象項目名】００２３
【補正方法】変更
【補正の内容】
【００２３】
この記録媒体に記録してあるコンピュータプログラムを使用するホストコンピュータは、端末装置が有するソフトウェア及びハードウェアに関する端末装置情報を評価する為の複数種類の評価式を端末装置へ送信し、送信した評価式による端末装置情報の評価結果を端末装置から受信する。そして、受信した評価結果が所定の条件を満たしていることを確認した場合に、特定のサービスを端末装置に提供する。
本発明に係る記録媒体は、端末装置にネットワークを通じて１又は複数のサービスを提供する情報システムを構成するホストコンピュータが使用するプログラムを記録してある記録媒体において、コンピュータに、前記端末装置が有するソフトウェア及びハードウェアに関する端末装置情報を前記端末装置から受信させる受信ステップと、該受信ステップが受信した端末装置情報が所定の条件を満たしていることを確認させる確認ステップと、該確認ステップが確認した場合に、特定のサービスを前記端末装置に提供させるステップとを実行させる為のプログラムを記録したことを特徴とする。
【手続補正１４】
【補正対象書類名】明細書
【補正対象項目名】００２４
【補正方法】変更
【補正の内容】
【００２４】
【発明の実施の形態】
以下に、本発明に係るコンピュータ、ホストコンピュータ、端末装置及び記録媒体をその実施の形態を示す図面に基づいて説明する。
図１は、本発明に係るコンピュータ、本発明に係るホストコンピュータ及び本発明に係る端末装置の実施の形態を使用する流通システムを説明する為の説明図である。この流通システムは、ベンダ２が発行した可搬記録媒体８（記録媒体、有償又は無償）が、販売店（書店、パソコンショップ等）７その他を経由してユーザに供給される。ユーザは、この可搬記録媒体８を端末装置４〜６により駆動しこの可搬記録媒体８に格納された情報を使用する。ベンダ２は、端末装置４〜６にホストコンピュータ１によりネットワーク３を通じて種々のサービスを提供し、その見返りとして料金を徴収するようになっている。
【手続補正１５】
【補正対象書類名】明細書
【補正対象項目名】００２５
【補正方法】変更
【補正の内容】
【００２５】
以下に、本発明に係るコンピュータ、本発明に係るホストコンピュータ及び本発明に係る端末装置の動作を、それを示すフローチャートである図２を参照しながら説明する。
端末装置４は、可搬記録媒体８のコンテンツ（情報）を起動し（Ｓ１０）、可搬記録媒体８に格納されている評価式を読み込む（Ｓ１２）。評価式は、端末装置４のコンテンツの導入数（タイトル数）と、コンテンツの版改訂回数と、ユーザが提供した他ユーザに関する情報の量とを含み、例えば、
ＩＦ（（（ＣＩ＞Ｎ１）ＡＮＤ（ＶＵ＞Ｎ２）ＡＮＤ（ＵＩ＞Ｎ３））＝ＴＲＵＥ）  ＳＥＲＶＩＣＥ      （１）
（但し、ＣＩ；コンテンツ導入数（タイトル数）、ＶＵ；コンテンツの版改訂回数（バージョンアップ回数）、ＵＩ；ユーザが提供した情報数、ＳＥＲＶＩＣＥ；条件式を満足したとき特定のサービスをする、Ｎ１，Ｎ２，Ｎ３；定数）
である。
【手続補正１６】
【補正対象書類名】明細書
【補正対象項目名】００３０
【補正方法】変更
【補正の内容】
【００３０】
図３及び図４は、本発明に係るコンピュータ、本発明に係るホストコンピュータ及び本発明に係る端末装置の動作を示すフローチャートである。本発明に係るコンピュータ、本発明に係るホストコンピュータ及び本発明に係る端末装置の実施の形態を使用する流通システムの構成は、上述した、本発明に係るコンピュータ、本発明に係るホストコンピュータ及び本発明に係る端末装置の実施の形態を使用する流通システムの構成（図１）と同様であるので、説明を省略する。
以下に、図３及び図４を参照しながら、本発明に係るコンピュータ、本発明に係るホストコンピュータ及び本発明に係る端末装置の動作を説明する。
端末装置４は、可搬記録媒体８のコンテンツ（情報）を起動し（Ｓ５０）、自身のアドレスをホストコンピュータ１へ送信する（Ｓ５２）。
【手続補正１７】
【補正対象書類名】明細書
【補正対象項目名】００３７
【補正方法】変更
【補正の内容】
【００３７】
図５は、本発明に係る記録媒体の実施の形態を示す説明図である。この可搬記録媒体８（記録媒体）は、例えばＣＤ−ＲＯＭであり、パーソナルコンピュータＰＣに接続されたディスクドライブＤＤに装填されて駆動される。可搬記録媒体８は、パーソナルコンピュータＰＣを作動させるための、パーソナルコンピュータＰＣのソフトウェア及びハードウェアに関する端末装置情報を収集する収集ステップＳＴ２と、収集ステップＳＴ２が収集した端末装置情報を評価式により評価する第１の評価ステップＳＴ４と、第１の評価ステップＳＴ４の評価結果が所定の条件を満たしているか否かを判断する判断ステップＳＴ６と、判断ステップＳＴ６が評価結果は所定の条件を満たしていると判断したときに、評価結果をホストコンピュータへ送信する評価結果送信ステップＳＴ８とを含んでいる。
パーソナルコンピュータＰＣの可搬記録媒体８による動作は、上述した本発明に係る端末装置の動作（図２）と同様であるので、説明を省略する。
【手続補正１８】
【補正対象書類名】明細書
【補正対象項目名】００３８
【補正方法】変更
【補正の内容】
【００３８】
図６は、本発明に係る記録媒体の実施の形態を示す説明図である。この可搬記録媒体８（記録媒体）は、例えばＣＤ−ＲＯＭであり、パーソナルコンピュータＰＣに接続されたディスクドライブＤＤに装填されて駆動される。可搬記録媒体８は、パーソナルコンピュータＰＣを作動させるための、パーソナルコンピュータＰＣのソフトウェア及びハードウェアに関する端末装置情報を収集する収集ステップＳＴ１０と、収集ステップＳＴ１０が収集した端末装置情報を評価する為の複数種類の評価式をホストコンピュータから受信する評価式受信ステップＳＴ１２と、評価式受信ステップＳＴ１２が受信した複数種類の評価式から１種類の評価式を選択する評価式選択ステップＳＴ１４とを含んでいる。
【手続補正１９】
【補正対象書類名】明細書
【補正対象項目名】００３９
【補正方法】変更
【補正の内容】
【００３９】
また、可搬記録媒体８は、収集ステップＳＴ１０が収集した端末装置情報を評価式選択ステップＳＴ１４が選択した評価式により評価する第２の評価ステップＳＴ１６と、第２の評価ステップＳＴ１６の評価結果が所定の条件を満たしているか否かを判断する判断ステップＳＴ１８と、判断ステップＳＴ１８が評価結果は所定の条件を満たしていると判断したときに、評価結果をホストコンピュータへ送信する評価結果送信ステップＳＴ２０とを含んでいる。パーソナルコンピュータＰＣの可搬記録媒体８による動作は、上述した本発明に係る端末装置の動作（図３，４）と同様であるので、説明を省略する。
【手続補正２０】
【補正対象書類名】明細書
【補正対象項目名】００４０
【補正方法】変更
【補正の内容】
【００４０】
図７は、本発明に係る記録媒体の実施の形態を示す説明図である。この記録媒体９は、例えばＣＤ−ＲＯＭであり、ホストコンピュータＨＣＰに接続されたディスクドライブＤＤに装填されて駆動される。記録媒体９は、ホストコンピュータＨＣＰを作動させる為の、端末装置が有するソフトウェア及びハードウェアに関する端末装置情報を評価する為の、可搬記録媒体に格納された評価式による端末装置情報の評価結果を端末装置から受信する受信ステップＳＴ２２と、受信ステップＳＴ２２が受信した評価結果が所定の条件を満たしていることを確認する確認ステップＳＴ２４と、確認ステップＳＴ２４が確認した場合に、別途用意された追加サービスを端末装置に提供するステップＳＴ２６とを含んでいる。ホストコンピュータＨＣＰの記録媒体９による動作は、上述した本発明に係るホストコンピュータの動作（図２）と同様であるので、説明を省略する。
【手続補正２１】
【補正対象書類名】明細書
【補正対象項目名】００４１
【補正方法】変更
【補正の内容】
【００４１】
図８は、本発明に係る記録媒体の実施の形態を示す説明図である。この記録媒体１０は、例えばＣＤ−ＲＯＭであり、ホストコンピュータＨＣＰに接続されたディスクドライブＤＤに装填されて駆動される。記録媒体１０は、ホストコンピュータＨＣＰを作動させるための、端末装置が有するソフトウェア及びハードウェアに関する端末装置情報を評価する為の複数種類の評価式を端末装置へ送信する評価式送信ステップＳＴ２８と、評価式送信ステップＳＴ２８が送信した評価式による端末装置情報の評価結果を端末装置から受信する受信ステップＳＴ３０とを含んでいる。
【手続補正２２】
【補正対象書類名】明細書
【補正対象項目名】００４２
【補正方法】変更
【補正の内容】
【００４２】
また、受信ステップＳＴ３０が受信した評価結果が所定の条件を満たしていることを確認する確認ステップＳＴ３２と、確認ステップＳＴ３２が確認した場合に、別途用意された追加サービスを端末装置に提供するステップＳＴ３４とを含んでいる。
ホストコンピュータＨＣＰの記録媒体１０による動作は、上述した本発明に係るホストコンピュータの動作（図３，４）と同様であるので、説明を省略する。
【手続補正２３】
【補正対象書類名】明細書
【補正対象項目名】００４３
【補正方法】変更
【補正の内容】
【００４３】
尚、上述した本発明に係る記録媒体の実施の形態では、ＣＤ−ＲＯＭを例として説明したが、その他の例として、図９に示すように、フレキシブルディスク１６、回線先メモリ１７（例えばＤＡＳＤ；Direct Access Storage Device）、コンピュータ１２側のメモリ１８（ＲＡＭ、ハードディスク等）等も該当することは言う迄もない。
【手続補正２４】
【補正対象書類名】明細書
【補正対象項目名】図面の簡単な説明
【補正方法】変更
【補正の内容】
【図面の簡単な説明】
【図１】
流通システムを説明する為の説明図である。
【図２】
本発明に係るコンピュータ、本発明に係るホストコンピュータ及び本発明に係る端末装置の動作を示すフローチャートである。
【図３】
本発明に係るコンピュータ、本発明に係るホストコンピュータ及び本発明に係る端末装置の動作を示すフローチャートである。
【図４】
本発明に係るコンピュータ、本発明に係るホストコンピュータ及び本発明に係る端末装置の動作を示すフローチャートである。
【図５】
本発明に係る記録媒体の実施の形態を示す説明図である。
【図６】
本発明に係る記録媒体の実施の形態を示す説明図である。
【図７】
本発明に係る記録媒体の実施の形態を示す説明図である。
【図８】
本発明に係る記録媒体の実施の形態を示す説明図である。
【図９】
記録媒体の例を示す図である。
【手続補正２５】
【補正対象書類名】図面
【補正対象項目名】図２
【補正方法】変更
【補正の内容】
【図２】
1998307878.tif 000001
【手続補正２６】
【補正対象書類名】図面
【補正対象項目名】図３
【補正方法】変更
【補正の内容】
【図３】
1998307878.tif 000002
【手続補正２７】
【補正対象書類名】図面
【補正対象項目名】図４
【補正方法】変更
【補正の内容】
【図４】
1998307878.tif 000003
【手続補正２８】
【補正対象書類名】図面
【補正対象項目名】図５
【補正方法】変更
【補正の内容】
【図５】
1998307878.tif 000004
【手続補正２９】
【補正対象書類名】図面
【補正対象項目名】図６
【補正方法】変更
【補正の内容】
【図６】
1998307878.tif 000005
【手続補正３０】
【補正対象書類名】図面
【補正対象項目名】図７
【補正方法】変更
【補正の内容】
【図７】
1998307878.tif 000006
【手続補正３１】
【補正対象書類名】図面
【補正対象項目名】図８
【補正方法】変更
【補正の内容】
【図８】
1998307878.tif 000007